(57)【要約】【課題】使用時はヘルメットタイプのように一定の剛性を有し、使わない時には小さく折り畳めるようにした頭部装着装置、及びそれを用いた頭部装着型映像表示装置を提供する。【解決手段】気密性の折り畳み可能な袋状のシートを有し、該袋状シートに気体を封入することにより頭部に装着可能な形状となることを特徴とする頭部装着装置を提供する。【選択図】        図１
2005113335.tif 000002
【特許請求の範囲】
【請求項１】
気密性の折り畳み可能な袋状のシートを有し、該袋状シートに気体を封入することにより頭部に装着可能な形状となることを特徴とする頭部装着装置。
【請求項２】
前記頭部装着装置の頭部に当接する部分に前記袋状シートよりも伸縮性のある材質からなる別のシート部材を設けたことを特徴とする請求項１に記載の頭部装着装置。
【請求項３】
前記袋状シートは立体的に成型され、かつ前記袋状シートの表裏は部分的に密着していることを特徴とする請求項１又は２に記載の頭部装着装置。
【請求項４】
前記袋状シートの一部に折り畳み可能な剛性を有する骨部材が設けられていることを特徴とする請求項１乃至３何れかに記載の頭部装着装置。
【請求項５】
請求項１乃至３何れかに記載の頭部装着装置に映像表示装置を取り付けてなる頭部装着型映像表示装置。
【発明の詳細な説明】
【技術分野】
【０００１】
本発明は、人体頭部に着脱可能な頭部装着装置であって、特に映像表示装置等の機器を人体頭部に装着する頭部装着型映像表示装置に関する。
【背景技術】
【０００２】
頭部装着型映像表示装置（ヘッドマウントディスプレイ）において用いられる装着装置は、例えば、表示部の両サイドから後方に延びたフレームと、表示部の中心に設けた鼻当てによって表示部を支持するようにした眼鏡タイプ、頭部の全周を囲むようにして表示部を装着するゴーグルタイプ、ヘルメットのように頭全体を覆うように被るヘルメットタイプ等、いろいろな装着装置が提案されている。
【０００３】
表示部がある程度の重量を有する場合は、一般的には分散してその荷重を受けるようにしたヘルメットタイプのものが使用されている。
【特許文献１】登録実用新案第０２５２６２２６号公報
【発明の開示】
【発明が解決しようとする課題】
【０００４】
しかし、こうしたヘルメットタイプのものでは、例えば実登録０２５２６２２６に示されるように、内側にエアバック等を設け、その膨らみの大きさで頭部との隙間を調整できるようにしたものはあるが、ヘルメット自体は剛性のある部材で作られているために一定の容積を占め、保管や持ち運びに対しては不便である。
【０００５】
本発明は、こうした問題に鑑み、使用時はヘルメットタイプのように一定の剛性を有し、使わない時には小さく折り畳めるようにした頭部装着装置、及びそれを用いた頭部装着型映像表示装置を提供することを目的とする。
【課題を解決するための手段】
【０００６】
気密性の折り畳み可能な袋状のシートを有し、該袋状シートに気体を封入することにより頭部に装着可能な形状となることを特徴とする頭部装着装置を提供する。
【０００７】
すなわち、本発明の技術内容は以下の構成を備えることにより前記課題を解決できた。
【０００８】
（１）気密性の折り畳み可能な袋状のシートを有し、該袋状シートに気体を封入することにより頭部に装着可能な形状となることを特徴とする頭部装着装置。
【０００９】
（２）前記頭部装着装置の頭部に当接する部分に前記袋状シートよりも伸縮性のある材質からなる別のシート部材を設けたことを特徴とする前記（１）に記載の頭部装着装置。
【００１０】
（３）前記袋状シートは立体的に成型され、かつ前記袋状シートの表裏は部分的に密着していることを特徴とする前記（１）又は（２）に記載の頭部装着装置。
【００１１】
（４）前記袋状シートの一部に折り畳み可能な剛性を有する骨部材が設けられていることを特徴とする前記（１）乃至（３）何れかに記載の頭部装着装置。
【００１２】
（５）前記（１）乃至（３）何れかに記載の頭部装着装置に映像表示装置を取り付けてなる頭部装着型映像表示装置。
【発明の効果】
【００１３】
本発明によれば、使用時には空気等の気体を封入することにより一定の剛性を持った装着部を得ることができ、使用しない場合には空気等の気体を抜くことにより、装着部を折り畳み小さくでき、保管や持ち運びに便利になる。また薄いシートで構成されるので軽量化も計れる。
【発明を実施するための最良の形態】
【００１４】
以下、本発明に係る頭部装着装置に関する実施例を説明する。
【実施例１】
【００１５】
図１は本発明による頭部装着型映像装置の実施例を示す斜視図、図２はその断面を示す。図において、１は表示装置、２はヘルメット型の装着部である。
【００１６】
３は連結部材で、一端を、表示部１に一体的に設けられたヒンジ部１ａに回転自在に連結されている。そして他方を、装着部２に一体的に取り付けられた取り付け台４のヒンジ部４ａに回転自在に連結されている。
【００１７】
ヒンジ部１ａ、４ａは一定のフリクションを有しており、ヒンジ部１ａ、４ａを回転させることにより、装着部２に対し表示部１を観察に最適な位置に移動し支持させることができる。
【００１８】
ヘルメット型の装着部２は、比較的伸縮性の小さい薄いシート、例えばビニール、ポリエチレン等の素材から成り、ヘルメット状に立体的に成型され、図２に示すように袋状に閉じた状態に形成される。そして空気等の気体を封入し、閉じ込める為の栓２ａが一部に設けられている。
【００１９】
この栓２ａにより空気等の気体を入れ、全体を膨張させることにより図１に示す如くヘルメット形状になり、シートの張力と内部圧力により一定の剛性強度を有する状態になる。
【００２０】
ここで、取り付け台４は、プラスチック等、軽量で剛性のある部材からなり、装着部２に対し取り付け面積を広くするためツバ部４ｂを有している。すなわち取り付け台４に対し、装着部２は、縁部２ｂだけでなく取り付け台４のツバ部４ｂを含めた広い面積で固定される。したがって装着部に作用する表示部の荷重を分散することができりので、表示部を装着部にしっかり固定できる。
【００２１】
取り付け台４の内側の頭部に対する当接部にはパッド６が取り付け台４に一体的に設けられている。
【００２２】
したがって、表示部１は連結部材３、パッド６により直接頭部に押圧されているので、装着した時、表示部が頭部に対しふらつくこと無くしっかり固定できる。
【００２３】
また、装着部２の一部は２ｃに示すように帯状に表裏を密着させている。この密着部２ｃを設けることにより、空気を封入したとき凹状に膨らみ、図１に示すようなヘルメット形状になる。
【００２４】
また、この密着させた部分２ｃは膨らんだ時溝形状になるため、ヘルメット形状に一定の強度を与える役目も果たす。
【００２５】
ヘルメットの内側になるシートの一部、頭部に当接する部分にはさらに一定の伸縮性を有する、例えばゴム等の材質からなるシート５が設けられている。
【００２６】
このゴムシート５の部分は空気の封入による内部圧力増加により、図２に示すように他の部分に比べ膨らむ。したがって空気の封入量により膨らみを加減することにより、被ったとき生じる頭部との隙間、及び装着した時の頭部に対する押圧力を調整することができる。
【００２７】
そして、空気を栓２ａより抜くことにより、図３に示すようにシートで形成された装着部は小さく折り畳むことができ、全体の容積を小さくすることができる。
【００２８】
なお、上記実施例では空気を封入した時、常にヘルメット型の凹状になるよう表裏のシートの一部を密着させたが、図４に示すように、シート状の仕切り部材１１、１２で表裏のシートを結合するようにしても良い。
【００２９】
ここで仕切り部材１１、１２には一箇所から全体に空気を入れられるよう切欠き１１ａ、１２ａが設けられている。
【実施例２】
【００３０】
図５は、第２の実施例にかかる頭部装着装置を示す。
【００３１】
図５において、１３ａ、１３ｂ、１３ｃ、１３ｄは金属又はプラスチック等の剛性のある材質からなる骨部材で、ヘルメットの曲面形状に沿って湾曲している。そして頂点に位置する部分においてカシメ１４により回転自在に結合されている。
【００３２】
この骨部材１３は、第１の実施例に述べたヘルメット形状を有するシート部材の表裏の何れかに一体的に取り付けられている。空気が封入されてない状態では、図６に示すようにカシメ１４を中心に骨部材１３を折り畳むことができる。
【００３３】
空気を封入すると、骨部材１３により膨らむ方向が規制されて、凹状に膨らみ、同時に骨部材１３は、シート部材に引っ張られて、カシメ１４を中心に回転し、図５のように開き図１に示したようなヘルメット形状になる。
【００３４】
本実施例２では、シートの他に剛性のある骨部材１３が設けられているので、上記第１の実施例に比べ剛性を高くすることができる。
【実施例３】
【００３５】
図７は第３の実施例にかかる頭部装着装置を示す図で、略板状に形成したシート部材１５ａ〜１５ｅをファスナー１６等でそれぞれ結合しヘルメット形状にしたものである。本実施例に拠れば、ヘルメット形状を構成している各部材を平面的な形状のものからでき、立体形状にシートを成型しなくても良いので製作コスト面で有利である。
【実施例４】
【００３６】
上記、第１、２、３の実施例では、頭部装着装置の装着部はヘルメット形状であったが、表示部が比較的軽量であれば、図８、９に示すようにリング状あるいはＵ字状に形成しても良い。
【００３７】
図８において、１８はシート部材をリング状に形成したもので、表示装置１は連結部材１７によりリング状の装着部１８に連結されている。
【００３８】
そして、装着したとき後頭部を押圧する部分には、実施例１で述べた如く伸縮性のあるゴム等のシート部材１９が取り付けられており、リング状に形成したシートの内部圧力を調整することによりゴムシートの膨らみを加減し、頭部との隙間及び押圧力を調整する。そして使用しない場合は栓（図示せず）から空気等の気体を抜くことでリング状の装着部を小さく折り畳むことができる。
【００３９】
図９において、２０はシート部材をＵ字状に形成したもので、表示装置１は連結部材１７によりリング状の装着部１８に連結されている。そして、同様に使用しない場合は栓（図示せず）から空気等の気体を抜くことでＵ字状の装着部を小さく折り畳むことができる。
【図面の簡単な説明】
【００４０】
【図１】本発明の第１の実施例に係わる装着装置を示す斜視図
【図２】第１の実施例に係わる装着装置の断面図
【図３】第１の実施例に係わる装着装置の装着部を折り畳んだ時の図
【図４】本発明の第１の実施例に係わる別のタイプの概略を示す図
【図５】本発明の第２の実施例に係わる装着装置を示す斜視図
【図６】本発明の第２の実施例に係わる装着装置を説明するための図
【図７】本発明の第３の実施例に係わる装着装置を示す図
【図８】本発明の第４の実施例に係わる装着装置を示す図
【図９】本発明の第４の実施例に係わる別のタイプの装着装置を示す図
【符号の説明】
【００４１】
１  表示装置
２  装着部
３  連結部材
４  取り付け台
５  伸縮性部材
６  パッド
１３  骨部材
１４  カシメ部材
１５  装着部材
１６  ファスナー等の連結部材
１７  連結部材
１８  リング状の装着部
１９  押圧部
２０  Ｕ字状の装着部
【図１】
2005113335.tif 000003
【図２】
2005113335.tif 000004
【図３】
2005113335.tif 000005
【図４】
2005113335.tif 000006
【図５】
2005113335.tif 000007
【図６】
2005113335.tif 000008
【図７】
2005113335.tif 000009
【図８】
2005113335.tif 000010
【図９】
2005113335.tif 000011